(57)【特許請求の範囲】
【請求項１】
吸水ポンプの動作モードを選択設定する吸水ポンプ設定スイッチと、洗い・すすぎ・脱水の内容を予め設定されたコースから選択するコース設定スイッチと、洗濯槽内の水位を設定する水位設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後に水位設定スイッチにより水位を切り換えた場合には、設定された水位に応じて吸水ポンプの動作モードを自動的に切り換えて設定し、切り換えた吸水ポンプの動作モードを前記表示手段に表示する構成とした洗濯機の制御装置。
【請求項２】
洗濯槽内の布量を判定する布量判定手段を備え、制御手段は、布量判定の結果により、吸水ポンプを動作モードを切り換えるようにした請求項１記載の洗濯機の制御装置。
【請求項３】
吸水ポンプの動作モードを選択設定する吸水ポンプ設定スイッチと、洗い・すすぎ・脱水の内容を予め設定されたコースから選択するコース設定スイッチと、洗い、すすぎ、脱水の内容をそれぞれ個別に設定可能なマニュアル設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後にマニュアル設定スイッチによりコース内容を切り換えた場合には、設定されたコース内容に応じて吸水ポンプの動作モードを自動的に切り換えて設定し、切り換えた吸水ポンプの動作モードを前記表示手段に表示する構成とした洗濯機の制御装置。
【請求項４】
制御手段は、洗濯動作の途中でマニュアル設定スイッチによりすすぎの回数を１回に設定した場合に、吸水ポンプの動作設定を取り消すようにした請求項３記載の洗濯機の制御装置。
【発明の詳細な説明】
【０００１】
【発明の属する技術分野】
本発明は、洗濯機の運転内容を設定表示する洗濯機の制御装置に関するものである。
【０００２】
【従来の技術】
従来、一般家庭で使用される洗濯機は、年配の方にも使い易いように、操作がわかりやすいことが不可欠であった。そのため、近年の洗濯機の主流となっているものは、電源を入れて、スタートボタンを押すだけで、洗い、すすぎ、脱水の標準の洗濯行程を行うように構成している。
【０００３】
しかしながら、一方で、自分の好みに合わせた洗濯を行いたい要望も強く、念入りにすすぎを行うコース、短時間に洗濯を行うコース、また、洗濯の衣類の素材に最適な洗い方ができる水流が弱いコースなど、様々なコース設定が可能な洗濯機が登場している。
【０００４】
さらには、洗濯の途中で水位を変えたり、洗濯時間を延長したり、途中で衣類を投入した場合などにも対応できるように、洗濯コースをスタートさせた後に設定変更が可能な洗濯機も人気をよんでいる。また、省エネルギーに対応した節水型の洗濯機として、風呂水を吸水して利用する吸水ポンプ付きの洗濯機が登場し、人気を集めている。
【０００５】
図４は従来の洗濯機の制御装置の操作パネルを示しており、洗濯を開始する場合には、電源スイッチ１を押し、つづけてスタート／一時停止スイッチ２を押すと、標準的な洗濯コースが行われる。自分の好みの洗濯を設定するには、コース内容の設定、洗い時間、すすぎ回数、脱水時間の個別の設定、水位の設定、さらに、吸水ポンプを使用するかを、それぞれ、コース設定スイッチ３、洗い時間設定スイッチ４、すすぎ回数設定スイッチ５、脱水時間設定スイッチ６、水位設定スイッチ７、吸水ポンプ設定スイッチ８で一連の動作を設定し、スタート／一時停止スイッチ２を押すことで、運転がスタートする。この設定された内容および運転の行程は表示部９に表示される。
【０００６】
このとき、運転がスタートした後には、コース内容を変えることができない構成であった。
【０００７】
【発明が解決しようとする課題】
しかしながら、上記従来の構成では、コース内容の設定などは、運転の途中で切り換えたいという要望があった。しかしながら、様々な洗濯コースや吸水ポンプなどのように機能が増え、しかも、設定切り換えをする場合は、その操作が複雑となってしまうという問題があった。
【０００８】
さらに、風呂水を吸水して利用する洗濯の場合には、コース設定によっては洗濯の仕上がりに不具合が生じるという問題があった。すなわち、風呂水をすすぎの最後まで使用すると、衣類に臭いが移ったり、柔軟剤の効果が薄れたりする場合があった。さらに、ドライマーク付きの衣類の一部が洗えるコースなどは、高価なおしゃれ着を家庭で洗うこともあり、これを汚れの混じる風呂の残り湯で洗うなどのようなに洗濯機の設定操作次第では、衣類を台無しにしてしまう可能性があった。
【０００９】
本発明は上記従来の課題を解決するもので、操作性の自由度を損なうことなく、運転動作設定間違いを防止し、使い勝手のよい操作設定ができるようにすることを目的としている。
【００１０】
【課題を解決するための手段】
本発明は上記目的を達成するために、吸水ポンプの動作モードを吸水ポンプ設定スイッチにより選択設定し、コース設定スイッチにより洗い・すすぎ・脱水の内容を予め設定されたコースから選択し、洗濯槽内の水位を水位設定スイッチにより設定し、設定された水位、吸水ポンプの動作モードを表示手段により表示し、一連の洗濯動作を制御手段により制御する。制御手段は、吸水ポンプ設定スイッチにより吸水ポンプの動作モードを設定した後に、水位設定スイッチにより水位を切り換えた場合には、設定された水位に応じて吸水ポンプの動作モードを自動的に切り換えて設定し、切り換えた吸水ポンプの動作モードを表示手段に表示する構成としたものである。
【００１１】
これにより、設定された水位に応じて、すすぎが１回のみになる場合は、吸水ポンプの動作モードを自動的に切り換えることで、すすぎ時に汚れの多い風呂水ですすぐことによる不具合をなくし、操作性の自由度を損なうことなく、運転動作設定間違いを防止することができ、吸水ポンプの動作状態を表示手段により表示するので、使い勝手のよい操作設定をすることができる。
【００１２】
【発明の実施の形態】
本発明の請求項１に記載の発明は、吸水ポンプの動作モードを選択設定する吸水ポンプ設定スイッチと、洗い・すすぎ・脱水の内容を予め設定されたコースから選択するコース設定スイッチと、洗濯槽内の水位を設定する水位設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後に水位設定スイッチにより水位を切り換えた場合には、設定された水位に応じて吸水ポンプの動作モードを自動的に切り換えて設定し、切り換えた吸水ポンプの動作モードを前記表示手段に表示する構成としたものであり、水位設定スイッチにより設定された水位に応じて設定可能な吸水ポンプの動作モードが異なり、設定された水位に応じて吸水ポンプの動作モードを自動的に切り換えて設定することで、たとえば、お急ぎコースでの低水位の設定の場合などで、すすぎが１回のみの洗濯コースにおいて、すすぎ時に汚れの多い風呂水ですすいだために、衣類に臭い等が移って仕上がったり、風呂水を使用したことにより柔軟剤の効果が薄れるのを防止でき、さらに、吸水ポンプの動作状態を表示手段により表示するので、操作および現在設定の状態を確認することができ、吸水ポンプの動作設定の手順に関係なく所定の設定をすることができるため、設定操作が容易になり、誤操作を防止できる。
【００１３】
請求項２に記載の発明は、上記請求項１に記載の発明において、洗濯槽内の布量を判定する布量判定手段を備え、制御手段は、布量判定の結果により、吸水ポンプを動作モードを切り換えるようにしたものであり、布量判定手段により洗濯槽内の布量を少ないと判定した場合は、自動的に水位が低水位に設定され、このとき、吸水ポンプの使用を取り消すことで、衣類に臭い等が移って仕上がったり、風呂水を使用したことにより柔軟剤の効果が薄れるというようなことを防止できる。
【００１４】
請求項３に記載の発明は、吸水ポンプの動作モードを選択設定する吸水ポンプ設定スイッチと、洗い・すすぎ・脱水の内容を予め設定されたコースから選択するコース設定スイッチと、洗い、すすぎ、脱水の内容をそれぞれ個別に設定可能なマニュアル設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後にマニュアル設定スイッチによりコース内容を切り換えた場合には、設定されたコース内容に応じて吸水ポンプの動作モードを自動的に切り換えて設定し、切り換えた吸水ポンプの動作モードを前記表示手段に表示する構成としたものであり、コース内容をマニュアル設定スイッチによりで自由に設定したとき、設定されたコース内容に応じて吸水ポンプの動作モードを自動的に切り換えて設定することで、不適切に風呂水使用を行い、衣類に臭い等が移って仕上がったり、風呂水を使用したことにより柔軟剤の効果が薄れるのを防止でき、さらに、吸水ポンプの動作状態を表示手段により表示するので、操作および現在設定の状態を確認することができ、吸水ポンプの動作設定の手順に関係なく所定の設定をすることができるため、設定操作が容易になり、誤操作を防止できる。
【００１５】
請求項４に記載の発明は、上記請求項３に記載の発明において、制御手段は、洗濯動作の途中でマニュアル設定スイッチによりすすぎの回数を１回に設定した場合に、吸水ポンプの動作設定を取り消すようにしたものであり、すすぎ時に風呂水使用を行い、衣類に臭い等が移って仕上がったり、風呂水を使用したことにより柔軟剤の効果が薄れるのを防止することができる。
【００１６】
【実施例】
以下、本発明の実施例について、図面を参照しながら説明する。
【００１７】
（実施例１）
図２に示すように、水受け槽１０は、底部にパルセーター１１を回転自在に配設した洗濯兼脱水槽（洗濯槽）１２を内包し、吊り棒１３により洗濯機外枠１４に吊り下げている。循環水路カバー１５は、洗濯兼脱水槽１２の内面に複数個取着し、洗濯兼脱水槽１２との間に独立した複数の循環水路１６を形成している。パルセーター２の裏面に下側羽根１７を一体に設け、下側羽根１７の外周に形成したポンプ室１８を複数の循環水路１６に連通している。複数の循環水路１６の上部を洗濯兼脱水槽１２の内部に向けて開口し、この開口部にそれぞれ散水用ノズル１９、リントフィルター２０を設けている。
【００１８】
モータ２１は、水受け槽１０の下側に配設し、Ｖベルト２２および減速機構２３を介して、洗濯時にはパルセーター１１を駆動し、脱水時には洗濯兼脱水槽１２を脱水回転させる。排水弁２４は洗濯兼脱水槽１２内の洗濯水の排水を制御するもので、水受け槽１０の下側に配設している。洗濯機外枠１４の上部には上部カバー２５を設け、給水弁２６、吸水ポンプ２７、制御装置２８を設けている。制御装置２８はモータ２１、排水弁２４、給水弁２６などを制御する。流体バランサー２９は脱水時の洗濯兼脱水槽１２の振動を低減させるもので、洗濯兼脱水槽１２の上部に設けている。
【００１９】
制御装置２８は、図１に示すように構成しており、制御手段３０は、マイクロコンピュータで構成し、この制御手段３０からの信号によりパワースイッチング手段３１を介して、モータ２１、排水弁２４、給水弁２６、吸水ポンプ２７などを制御する。スイッチ入力手段３２は、水位、洗い時間、すすぎ回数、脱水時間などを設定するもので、このスイッチ入力手段３２により設定した内容を表示手段３３により表示する。
【００２０】
水位検知手段３４は、洗濯兼脱水槽１２内の水位を検知するものである。布量判定手段３５は、モータ２１を駆動した後、通電を遮断したときの惰性回転時の進相コンデンサ３６の両端の電圧からのパルス数により洗濯兼脱水槽１２に入っている布量を判定する。なお、３７は電源スイッチ、３８は交流電源である。
【００２１】
スイッチ入力手段３２は、図３に示すように、水位設定スイッチ３２ａ、洗い時間設定スイッチ３２ｂ、すすぎ回数設定スイッチ３２ｃ、脱水時間設定スイッチ３２ｄ、吸水ポンプ設定スイッチ３２ｅ、コース設定スイッチ３２ｆ、スタート／一時停止スイッチ３２ｇなどで構成している。表示手段３３は、水位表示部３３ａ、洗い、すすぎ、脱水の行程進行表示部３３ｂ、洗い、すすぎ、脱水の各設定内容表示部３３ｃ、残時間表示部３３ｄ、吸水ポンプ表示部３３ｅ、コース表示部３３ｆなどで構成している。
【００２２】
吸水ポンプ２７の動作を設定する場合は、吸水ポンプ設定スイッチ３２ｅを押すことで、（表１）に示すように、洗い時に吸水ポンプ２７を動作（風呂水を使用）させるモード、洗いとすすぎ時に吸水ポンプ２７を動作させるモード、吸水ポンプ２７を動作させないモードを切り換えて設定できるようにしている。このとき、設定モードにしたがって、吸水ポンプ表示部３３ｅの「洗い」、「すすぎ１」が点灯する。
【００２３】
【表１】
0003752791.tif 000002
【００２４】
なお、（表１）で、○印は、吸水ポンプ２７が動作することを示し、×印は、吸水ポンプ２７が動作しないことを示している。
【００２５】
ここで、吸水ポンプ２７をすすぎ行程まで使用するコース設定の場合には、一連の洗濯行程における最後のすすぎは、風呂水を使わずに必ず給水弁２６により制御される水道水で行うようにし、すすぎの最後はきれいな水を使用することで、風呂水などの臭いが仕上がった洗濯物に残るのを防いでいる。（表１）は、コース設定スイッチ３２ｆにより、「お急ぎコース」を設定した場合であり、「お急ぎコース」では、水位を「低水位」以下に設定したときは、すすぎを１回に設定するようにしている。
【００２６】
制御手段３０は、吸水ポンプ設定スイッチ３２ｅにより吸水ポンプ２７の動作モードを設定した後に水位設定スイッチ３２ａにより水位を切り換えた場合には、設定された水位に応じて、吸水ポンプ２７の動作モードを自動的に切り換えて設定し、切り換えた吸水ポンプ２７の動作モードを表示手段３３に表示する構成としている。
【００２７】
上記構成において動作を説明する。電源スイッチ３７の投入時には、標準的な洗濯行程を実行する「標準コース」が設定されている。ここで、スタート／一時停止スイッチ３２ｇを押すと決められた手順で洗濯が自動的に開始する。
【００２８】
今、コース設定スイッチ３２ｆにより、「お急ぎコース」を設定し、吸水ポンプ設定スイッチ３２ｅにより、吸水ポンプ２７を洗いとすすぎ時に吸水ポンプ２７を動作させるモードに設定すると、吸水ポンプ表示部３３ｅの「洗い」、「すすぎ１」が点灯する。ここで、吸水ポンプ２７の動作中は吸水ポンプ表示部３３ｅが点滅し、吸水ポンプ２７の動作行程を表示する。
【００２９】
この状態で、水位設定スイッチ３２ａにより「低水位」に設定すると、「低水位」では、（表１）に示すように、吸水ポンプ２７を動作させないモードであるため、吸水ポンプ２７を自動的に動作しないように切り換えて、吸水ポンプ表示部３３ｅの「洗い」、「すすぎ１」を消灯し、使用者に設定状態を報知する。
【００３０】
「お急ぎコース」では、すすぎを短時間で行うために。洗濯兼脱水槽１２に給水しながらすすぎを行う、いわゆる注水すすぎを行っているが、このとき、洗濯量が多くて高い水位で洗濯をする場合に比べて、洗濯量が少なく低い水位で洗濯をする場合は、洗濯量に対して洗濯兼脱水槽１２に入る水の量が多いため、すすぎ性能がよくなる。
【００３１】
したがって、高水位の場合は２回のすすぎを行うところを、低水位では１回で充分なすすぎ性能を得ることが可能である。そのため、「お急ぎコース」で、低水位以下の水位を設定した場合は、すすぎが１回のみとする。したがって、１回目のすすぎが洗濯コースの最後のすすぎとなるので、吸水ポンプ２７を自動的に動作しないように切り換えて、風呂水を利用せずに水道水ですすぎをすることで、風呂水の臭い移りなどを防ぐことができる。
【００３２】
さらに、吸水ポンプ２７の動作状態を表示手段３３の吸水ポンプ表示部３３ｅにより表示するので、操作および現在設定の状態を確認することができ、吸水ポンプ２７の動作設定の手順に関係なく所定の設定をすることができるため、設定操作が容易になり、誤操作を防止できる。
【００３３】
なお、本実施例では、「お急ぎコース」を設定し、吸水ポンプ２７を洗いとすすぎ時に吸水ポンプ２７を動作させるモードに設定した後、「低水位」に設定したとき、吸水ポンプ２７を動作しないように切り換えているが、これに限定されるものでなく、他のコースを設定し、「低水位」以外に設定したときでも、すすぎ回数が１回になれば、吸水ポンプ２７を自動的に動作しないように切り換えることで、風呂水を利用せずに水道水ですすぎをすることで、風呂水の臭い移りなどを防ぐことができる。
【００３４】
（実施例２）
図１における制御手段３０は、布量判定手段３５による布量判定の結果により、吸水ポンプ２７を動作モードを切り換えるようにしている。他の構成は上記実施例１と同じである。
【００３５】
上記構成において動作を説明すると、布量判定手段３５は、モータ２１を所定時間動作させた直後のパルセーター１１の惰性回転数により、洗濯兼脱水槽１２内の布量を判定する。すなわち、洗濯の開始前にモータ２１を、たとえば０.５秒間導通させ、停止したときのパルセーター１１の惰性回転を進相コンデンサ３６に生ずるパルス数を計数することで、布量を判定する。パルス数が多いと負荷が軽く、布量が少ない。
【００３６】
このとき、定格容量より布量が少ない場合は、布に対する水量が多くなるため、すすぎ性能が向上する。特に、注水すすぎで時間短縮を行う「お急ぎコース」ではその傾向が顕著である。したがって、「お急ぎコース」の場合は、布量が少ないと判定した場合は、すすぎを１回にして、短時間で洗濯が終了するように制御する。すすぎが１回の場合は、前述通り、すすぎ行程での吸水ポンプ２７の使用は不適切なため、たとえ設定していた場合でも自動的に吸水ポンプ動作モードを取り消す。
【００３７】
したがって、布量が少ないと判定した場合は、すすぎを１回にして、吸水ポンプ２７を自動的に動作しないように切り換えて、風呂水を利用せずに水道水ですすぎをすることで、風呂水の臭い移りなどを防ぐことができる。
【００３８】
なお、本実施例では、「お急ぎコース」を設定し、布量が少ないと判定した場合は、吸水ポンプ２７を自動的に動作しないように切り換えているが、これに限定されるものでなく、他のコースを設定したときでも、布量の判定結果により、すすぎ回数が１回になれば、吸水ポンプ２７を自動的に動作しないように切り換えることで、風呂水を利用せずに水道水ですすぎをすることで、風呂水の臭い移りなどを防ぐことができる。
【００３９】
（実施例３）
図１における制御手段３０は、洗い時間設定スイッチ３２ｂ、すすぎ回数設定スイッチ３２ｃ、脱水時間設定スイッチ３２ｄにより、洗い時間、すすぎ回数、脱水時間を個別に設定したとき、吸水ポンプ設定スイッチ３２ｅを押すことで、（表２）に示すように、洗い時に吸水ポンプ２７を動作（風呂水を使用）させるモード、洗いとすすぎ時に吸水ポンプ２７を動作させるモード、吸水ポンプ２７を動作させないモードを切り換えて設定できるようにしている。このとき、設定モードにしたがって、吸水ポンプ表示部３３ｅの「洗い」、「すすぎ１」が点灯する。
【００４０】
【表２】
0003752791.tif 000003
【００４１】
なお、（表２）で、○印は、吸水ポンプ２７が動作することを示し、×印は、吸水ポンプ２７が動作しないことを示している。
【００４２】
また、制御手段３０は、吸水ポンプ設定スイッチ３２ｅにより吸水ポンプ２７の動作モードを設定した後に、洗い時間設定スイッチ３２ｂ、すすぎ回数設定スイッチ３２ｃ、脱水時間設定スイッチ３２ｄにより、コース内容を切り換えた場合、たとえば、すすぎ回数を１回に設定した場合は、吸水ポンプ２７の動作設定を取り消し、吸水ポンプ表示部３３ｅの「洗い」、「すすぎ１」が消灯するようにしている。
【００４３】
上記構成において動作を説明すると、洗い時間設定スイッチ３２ｂを押すたびに、洗い時間が初期の時間設定から１分ずつ減少し、０分になった場合には、設定内容表示部３３ｃの洗い時間表示が消灯し、続けて洗い時間設定スイッチ３２ｂを押すと、１５分表示から再び１分ずつ減算し、好みの洗濯時間を設定できる。また、すすぎ回数設定スイッチ３２ｃを押すたびに、注水すすぎの設定とすすぎ回数が交互に、注水の有り無し設定と回数の減少するように変化し、すすぎ回数と注水すすぎが設定できる。さらに、脱水時間設定スイッチ３２ｄを押すたびに、脱水時間が初期の時間設定から１分ずつ減少し、０分になった場合には、設定内容表示部３３ｃの脱水時間表示が消灯し、続けて脱水時間設定スイッチ３２ｄを押すと９分表示から再び１分ずつ減算し、好みの脱水時間を設定できる。
【００４４】
吸水ポンプ２７の動作設定は、（表２）に示すように、洗いの設定がなしの場合、すなわち、０分の場合は吸水ポンプ２７を使用する設定ができない。また、同様に、すすぎ回数の設定が０回の場合は、すすぎ時に吸水ポンプ２７を使用する設定ができない。さらに、すすぎの設定が１回の場合には、そのすすぎが一連の洗濯行程の最後のすすぎになるため、吸水ポンプ２７の設定をすることができない。
【００４５】
予め吸水ポンプ２７を洗いおよびすすぎで使用するモード設定を行っているとき、洗い時間設定スイッチ３２ｂ、すすぎ回数設定スイッチ３２ｃ、脱水時間設定スイッチ３２ｄなどのマニュアル設定スイッチによりコース内容を変更させると、吸水ポンプ２７の動作設定と矛盾が生じることがある。すなわち、洗いで吸水ポンプ２７を設定しているが、洗い時間を０分に設定した場合などである。
【００４６】
このような場合にコース内容を変更すると、自動的に吸水ポンプ２７の動作設定を変更する。すなわち、洗いがない設定に変更した場合は、洗い時の吸水ポンプ２７の動作設定を取消し、すすぎを１回以下に変更した場合は、すすぎ時の吸水ポンプ２７の動作設定を取り消す。また、このとき、再び、洗いを設定するかすすぎを２回以上に設定した場合には、吸水ポンプ２７の動作設定を自動的に復活させる。
【００４７】
この設定変更操作は、吸水ポンプ２７の動作設定が洗いのみに設定されたときも、同様である。また、コース内容は動作運転中に変更も可能であり、このときも、すすぎが１回以下に変更した場合は、同様にすすぎ時の吸水ポンプ２７の動作を取り消す。
【００４８】
また、吸水ポンプ２７の動作状態を表示手段３３の吸水ポンプ表示部３３ｅにより表示する。洗い行程において、吸水ポンプ２７を使用する設定では、吸水ポンプ表示部３３ｅの「洗い」が点灯し、洗いとすすぎの両方で吸水ポンプ２７を使用する設定では、吸水ポンプ表示部３３ｅの「洗い」、「すすぎ１」が点灯する。吸水ポンプ２７の動作モードを設定後に、コース内容を変更することにより、吸水ポンプ２７の動作が不適切な条件に設定された場合は、吸水ポンプ２７の動作を自動的に取り消されるとともに、設定状態表示が消えて、使用者に設定状態を報知する。
【００４９】
したがって、吸水ポンプ２７の動作モードを設定した後に、マニュアル設定スイッチによりコース内容を切り換えた場合に、設定されたコース内容に応じて吸水ポンプ２７の動作モードを切り換え、切り換えた吸水ポンプ２７の動作モードを吸水ポンプ表示ぶ３３ｅに表示することで、不適切に風呂水使用を行い、衣類に臭い等が移って仕上がったり、風呂水を使用したことにより柔軟剤の効果が薄れるのを防止でき、さらに、吸水ポンプの動作状態を表示するので、操作および現在設定の状態を確認することができ、吸水ポンプ２７の動作設定の手順に関係なく所定の設定をすることができるため、設定操作が容易になり、誤操作を防止できる。
【００５０】
【発明の効果】
以上のように本発明の請求項１に記載の発明によれば、吸水ポンプの動作モードを選択設定する吸水ポンプ設定スイッチと、洗い・すすぎ・脱水の内容を予め設定されたコースから選択するコース設定スイッチと、洗濯槽内の水位を設定する水位設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後に水位設定スイッチにより水位を切り換えた場合には、設定された水位に応じて吸水ポンプの動作モードを自動的に切り換えて設定し、切り換えた吸水ポンプの動作モードを前記表示手段に表示する構成としたから、たとえば、お急ぎコースでの低水位の設定の場合などで、すすぎが１回のみの洗濯コースにおいて、すすぎ時に汚れの多い風呂水ですすいだために、衣類に臭い等が移って仕上がったり、風呂水を使用したことにより柔軟剤の効果が薄れるのを防止でき、さらに、吸水ポンプの動作状態を表示手段により表示するので、操作および現在設定の状態を確認することができ、吸水ポンプの動作設定の手順に関係なく所定の設定をすることができるため、設定操作が容易になり、誤操作を防止できる。
【００５１】
また、請求項２に記載の発明によれば、洗濯槽内の布量を判定する布量判定手段を備え、制御手段は、布量判定の結果により、吸水ポンプを動作モードを切り換えるようにしたから、布量判定手段により洗濯槽内の布量を少ないと判定し、水位が低水位に設定されたとき、吸水ポンプの使用を取り消すことで、衣類に臭い等が移って仕上がったり、風呂水を使用したことにより柔軟剤の効果が薄れるというようなことを防止できる。
【００５２】
また、請求項３に記載の発明によれば、吸水ポンプの動作モードを選択設定する吸水ポンプ設定スイッチと、洗い・すすぎ・脱水の内容を予め設定されたコースから選択するコース設定スイッチと、洗い、すすぎ、脱水の内容をそれぞれ個別に設定可能なマニュアル設定スイッチと、設定された水位、吸水ポンプの動作モードを表示する表示手段と、一連の洗濯動作を制御する制御手段とを備え、前記制御手段は、前記吸水ポンプ設定スイッチにより前記吸水ポンプの動作モードを設定した後にマニュアル設定スイッチによりコース内容を切り換えた場合には、設定されたコース内容に応じて吸水ポンプの動作モードを自動的に切り換えて設定し、切り換えた吸水ポンプの動作モードを前記表示手段に表示する構成としたから、コース内容をマニュアル設定スイッチによりで自由に設定したとき、設定されたコース内容に応じて吸水ポンプの動作モードを自動的に切り換えて設定することで、不適切に風呂水使用を行い、衣類に臭い等が移って仕上がったり、風呂水を使用したことにより柔軟剤の効果が薄れるのを防止でき、さらに、吸水ポンプの動作状態を表示手段により表示するので、操作および現在設定の状態を確認することができ、吸水ポンプの動作設定の手順に関係なく所定の設定をすることができるため、設定操作が容易になり、誤操作を防止できる。
【００５３】
また、請求項４に記載の発明によれば、制御手段は、洗濯動作の途中でマニュアル設定スイッチによりすすぎの回数を１回に設定した場合に、吸水ポンプの動作設定を取り消すようにしたから、すすぎ時に風呂水使用を行い、衣類に臭い等が移って仕上がったり、風呂水を使用したことにより柔軟剤の効果が薄れるのを防止することができる。
【図面の簡単な説明】
【図１】本発明の第１の実施例の洗濯機の制御装置のブロック回路図
【図２】同洗濯機の制御装置を備えた洗濯機の断面図
【図３】同洗濯機の制御装置の操作パネルの正面図
【図４】従来の洗濯機の制御装置の操作パネルの正面図
【符号の説明】
１２  洗濯兼脱水槽（洗濯槽）
２７  吸水ポンプ
３０  制御手段
３２ａ  水位設定スイッチ
３２ｅ  吸水ポンプ設定スイッチ
３２ｆ  コース設定スイッチ
３３  表示手段
【図１】
0003752791.tif 000004
【図２】
0003752791.tif 000005
【図３】
0003752791.tif 000006
【図４】
0003752791.tif 000007